(57)【要約】【課題】  光心線の端部や融着スリーブから漏れる漏光はもちろんのこと、光心線の側部から漏れる極めて小さな漏光も感度良く受光し、目的の光心線であるか否かを的確に判別することが可能である光心線判別システムを提供する。【解決手段】  光通信線路の一方に搬送波を所定の周波数に変調して変調信号を発信する発信機を接続すると共に、光通信線路の他方に非接触で受信機を接続する。受信機は、光通信線から漏れる前記発信機から送信された情報性変調信号を受光し、受光信号を相関処理等して計算結果を表示部に表示する機能を有するようにした。【選択図】図１
2005094720.tif 000002
【特許請求の範囲】
【請求項１】
光通信線路の一端に接続して光通信線路内に信号を送信するための発信機であって、搬送波を所定の周波数に変調して変調信号を発信する発信機と、
光通信線路の他端に非接触接続することにより前記発信機から発信された信号を受信するための受信機であって、光通信線から漏れる前記発信機から送信された変調信号を受光して電気信号に変換するする受光部と、前記電気信号を増幅する増幅器と、前記増幅器で増幅された増幅信号に対し帯域制限するためのフィルタ部と、前記フィルタ部からの出力されるアナログ信号をデジタル化するＡ／Ｄ変換器と、前記Ａ／Ｄ変換器からのディジタル出力信号を相関処理するための相関処理部と、前記相関処理部による計算結果を表示するための表示部とを有した受信機と、
から構成されたことを特徴とする光心線判別システム。
【請求項２】
前記変調信号は、所定のビット長で一単位とするに共にコード化したことを特徴とする請求項１に記載の光心線判別システム。
【請求項３】
前記変調信号を所定にフォーマット化することにより対雑音性を向上させた強化変調信号とし、当該強化変調信号を発信するようにしたことを特徴とする請求項１又は請求項２に記載の光心線判別システム。
【請求項４】
前記相関処理は、前記Ａ／Ｄ変換器から出力されるディジタル出力信号と予め記憶させた所定の信号波形とを同期させて乗算を行うと共に、前記Ａ／Ｄ変換器から出力されるディジタル出力信号を積分計算するようにしたことを特徴とする請求項１、請求項２又は請求項３に記載の光心線判別システム。
【発明の詳細な説明】
【技術分野】
【０００１】  本発明は、光通信線路の工事の際に、複数本の光心線の中から工事目的の光心線を判別するための光心線判別システ厶に関するものである。更に詳しくは、例えば、光心線接続箱（以下、光クロージャという。）の内部にて光心線同士を接続する際に、その光心線が目的の光心線か否かを判別したり、また、光クロージャ内に挿通された光ケーブル（＝多数の光心線が束ねられて周囲が外被によって被覆されたケーブル。）の被覆を剥がして目的の光心線を選別する際に、その光心線が目的の光心線か否かを判別するための光心線判別システムに関するものである。
【背景技術】
【０００２】  光通信線路を敷設する場合、光通信線路を中継するために中継部材が必要となったり、光通信線路を分岐するために分岐部材が必要となる。このような中継或いは分岐の役割を果たす部材の一例として光クロージャが存在する。この光クロージャは、例えば、電柱に沿って上空に敷設される光通信線路の一角に配設されたり、地中を掘削して設けたダクト（トラフ）の内部に敷設される光通信線路の一角に配設されるものである。【０００３】  光クロージャの構造について簡説すると、光クロージャは箱体であって、一方の光ケーブルが導入される導入孔や他方の光ケーブルを導出する導出孔が設けられている。また、光ケーブルは複数本の光心線が束ねられると共に外皮により保護されているものであるが、導入側と導出側のそれぞれの光心線を接続して収容するために箱内の内部には光心線収納トレーが装備されている。光心線同士の接続は、融着スリーブにて融着接続されており、当該融着スリーブは、光心線収納トレー内の融着スリーブ固定部に挟持されて固定されるものである。なお、光心線の収納は、余長を確保するため、光心線収納トレーには余長収納部も設けられている。【０００４】  光クロージャを用いて光ケーブルを敷設する場合、例えば、次のような工事が必要となる。新規敷設工事の場合にあっては、一方の主配線盤（以下、ＭＤＦという。）側からの光心線と他方のＭＤＦ側からの光心線とを光クロージャ内にて融着スリーブを用いて融着接続し、その融着スリーブを光心線収納トレーの融着スリーブ固定部に固定する。【０００５】  また、追加敷設工事の場合にあっては、一方のＭＤＦ側から既に光クロージャの光心線収納トレー内に余長を確保して収容されている空きの光心線に対して、他方のＭＤＦ側又は加入者側から新たに敷設した光心線とを光クロージャ内にて融着スリーブを用いて融着接続し、その融着スリーブを光心線収納トレーの融着スリーブ固定部に固定する。なお、希ではあるが、伝送系統を変更するために、既に融着接続されている光心線同士を一旦切断し、切断された一方の光心線と別の光心線とを新たに融着接続する場合もある。【０００６】  更に、後分岐式クロージャを用いた後分岐工事の場合にあっては次の通りである。後分岐式クロージャとは、後になって加入者等のもとへ光心線を分岐して供給できるように構造を形成したクロージャのことである。これに対し、前述の新規敷設工事及び追加敷設工事の場合で使用する光クロージャは、中継部材として使用する意義が大きいクロージャである。そのため、両者は構造を異にしている。後分岐式クロージャの具体的構造は、新設当初は次の通りである。すなわち、多数の光心線がスロットに螺旋状に巻回されると共に外被で覆われた光ケーブル（以下、このタイプの光ケーブルをＳＺケーブルという。）が光クロージャの導入孔と導出孔とを貫通していると共に、光心線収納トレーが内蔵されているのみである。後分岐の作業に関して述べると、ＳＺケーブルの外被を所定の区間だけ剥がし、スロット周囲に巻回されている多数の光心線の中から目的の光心線を引き出して切断する。そして、切断した光心線と加入者側からの光心線とを光クロージャ内にて融着スリーブを用いて融着接続し、その��着スリーブを光心線収納トレーの融着スリーブ固定部に固定することとなる。【０００７】  ここで、上記のような作業を行う場合は、当然のことながら、目的の光心線を的確に探し出すことが極めて重要である。なぜならば、前述の新規敷設工事や追加敷設工事について述べると、所定の光心線同士を接続できずに光通信路が交錯してしまうことになるからであり、他方、前述の後分岐工事について述べると、目的以外の光心線を誤って切断してしまう可能性があると共に、切断した光心線が現在使用中の活線であった場合には通信不良を引き起こすなど更に被害が大きいからである。【０００８】  上記のような問題を解決するために、従来、次のように目的の光心線を判別していた。前述の新規敷設工事の場合は、先ず、一方のＭＤＦ側において、目的の光通信線路に発信機（光源）を接続して所定の周波数で変調された光信号を送信する。そして、光クロージャ内において、目的の光心線の端部に受信機を対向させて出射光を受光し、この光心線が発信機側に通じている目的の光通信線路か否かを判別していた。次いで、他方のＭＤＦ側においても同様の作業を行い、導入側及び導出側の両方の目的の光心線を判別し、その後、両光心線を融着接続していた。【０００９】  また、前述の追加敷設工事の場合は、空き心線に対しての工事については前述と同様であり、また、切断を伴う工事については融着スリーブから漏れる漏光を受信機で感知して目的の光心線か否かを判別していた。【００１０】  更に、前述の後分岐工事の場合は、一方のＭＤＦ側において、目的の光通信線路に発信機（光源）を接続して所定の周波数で変調された光信号を送信する作業は同様であるが、受光部側は、光心線が切断されていないため端部から出射する出射光が無く、また、融着スリーブも無いため融着スリーブからの漏光も当然のことながら存在しない。従って、光心線の側部から洩れる漏光を受光することとなる。しかし、光心線側部からの漏光は極めて小さいため受光が著しく困難である。そのため、光心線を屈曲させて漏光を大きくして受光していた。【００１１】  上述のような光心線判別システムは、例えば以下の特許文献に記載されている。
【特許文献１】特開平０２−２３０１０５号公報
【特許文献２】特開平０２−２３０１０６号公報
【発明の開示】
【発明が解決しようとする課題】
【００１２】  上述のような光心線判別システムでは以下のような問題があった。【００１３】  光心線の端部からの漏光を受信機で受光する場合は、端部からの出射光の大きさが比較的大きいことから受信機で漏光を感知することが可能であったが、これに対し、融着スリーブからの漏光を検出することは困難であった。なぜならば、融着スリーブからの漏光の大きさは、端部から出射される漏光の大きさよりも当然小さくなるため、受光の際に太陽光その他自然界のノイズの影響を受けてしまい、感度良く受信することが困難であるからである。【００１４】  また、特に、後分岐式の場合は、光心線側部からの漏光を検出することとなるが、前述のように光心線側部からの漏光は、融着スリーブからの漏光よりも更に小さいものとなる。よって、光心線を屈曲させて漏光を大きくして受光する必要があった。しかしながら、このように光心線を屈曲させると側部からの漏光は大きくなる一方、伝送データの歪みが大きくなる可能性が高いという問題があった。【００１５】  もし仮に、作業中に屈曲させた光心線が工事目的の光心線ではなく且つ活線の光心線であった場合、通信不良を引き起こすなど活線に悪影響を及ぼしてしまうという問題があった。また、場合によっては、屈曲させることにより光心線を損傷させてしまうという恐れもあった。従って、光心線を屈曲することは必ずしも効果的ではなかった。【００１６】  本発明の目的は、上述した従来の光心線判別システムが有する課題を解決することにある。すなわち、受光の際に太陽光その他自然界のノイズの影響を受けにくくし、光心線の端部からの漏光はもとより、漏光の大きさが比較的小さな融着スリーブからの漏光についても非接触にて感度良く受光することができ、また、融着スリーブの漏光の大きさよりも更に小さな光心線側部からの漏光も非接触にて感度良く受光することができ、これにより、光クロージャ等の内部にて光心線同士を接続したり、ＳＺケーブルから光心線を探す際に、その光心線が目的の光心線か否かを的確に判別することができる光心線判別システムを提供することにある。
【課題を解決するための手段】
【００１７】  上述の課題を解決するために、
第１には、光通信線路の一端に接続して光通信線路内に信号を送信するための発信機であって、搬送波を所定の周波数に変調して変調信号を発信する発信機と、
光通信線路の他端に非接触接続することにより前記発信機から発信された信号を受信するための受信機であって、光通信線から漏れる前記発信機から送信された変調信号を受光して電気信号に変換するする受光部と、前記電気信号を増幅する増幅器と、前記増幅器で増幅された増幅信号に対し帯域制限するためのフィルタ部と、前記フィルタ部からの出力されるアナログ信号をディジタル化するＡ／Ｄ変換器と、前記Ａ／Ｄ変換器からのデジタル出力信号を相関処理するための相関処理部と、前記相関処理部による計算結果を表示するための表示部とを有した受信機と、
から構成されたことを特徴とする光心線判別システムとしたものであり、
第２には、前記変調信号は、所定のビット長で一単位とするに共にコード化したことを特徴とする請求項１に記載の光心線判別システムとしたものであり、
第３には、前記変調信号を所定にフォーマット化することにより対雑音性を向上させた強化変調信号とし、当該強化変調信号を発信するようにしたことを特徴とする請求項１又は請求項２に記載の光心線判別システムとしたものであり、
第４には、前記相関処理は、前記Ａ／Ｄ変換器から出力されるディジタル出力信号と予め記憶させた所定の信号波形とを同期させて乗算を行うと共に、前記Ａ／Ｄ変換器から出力されるディジタル出力信号を積分計算するようにしたことを特徴とする請求項１、請求項２又は請求項３に記載の光心線判別システムとしたものである。
【発明の効果】
【００１８】  本発明は、光信号判別システムに関し、上述した構成を有するため、以下に記載の効果を奏することができる。【００１９】  受信機にて受光の際に太陽光その他自然界のノイズの影響を受けにくいことから、光心線の端部からの漏光はもとより、漏光の大きさが比較的小さな融着スリーブからの漏光についても非接触にて感度良く受光することができる。【００２０】  また、融着スリーブの漏光の大きさよりも更に小さな光心線側部からの漏光も非接触にて感度良く受光することができる。【００２１】  従って、光クロージャ等の内部にて光心線同士を接続したり、ＳＺケーブルから光心線を探す際に、その光心線が目的の光心線か否かを的確に判別することができる。【００２２】  更に、目的の光心線を的確に判別できることから、誤って目的以外の光心線同士を接続してしまうことや目的以外の光心線を切断してしまうことを防止することができる。【００２３】  更にまた、光心線を屈曲させるようなこともないため、光心線の屈曲による損傷や通信不良を防止することができる。【００２４】  以上のように、光通信線の接続工事の信頼性を向上することができる。
【発明を実施するための最良の形態】
【００２５】  以下に、本発明を実施するための最良の形態について説明するが、本発明の趣旨を越えない限り何ら下記形態に限定されるものではない。【００２６】  図１は、通信線路に本発明の光心線判別システムを設置した様子を表す概略図である。Ａは、通信線を中継するために設けられた中継局であって、主に、交換機１Ａ、伝送装置２Ａ、ＭＤＦ３Ａ等から構成されている。ＢもＡと同様、通信線を中継するために設けられた中継局であって、主に、交換機１Ｂ、伝送装置２Ｂ、ＭＤＦ３Ｂ等から構成されている。そして、中継局Ａと中継局Ｂとの間には、光ケーブルＫ（例えば、１００心分の光心線が束ねられた光ケーブル）が敷設されている。また、前述の通り、光ケーブルＫによって構築された光通信線路には、光通信線を中継する目的或いは光通信線を分岐する目的のために光クロージャＣが配設されている。【００２７】  本発明の光信号判別システムは、発信機Ｘと受信機Ｙとから構成されており、発信機Ｘは、中継局Ａに配備されたＭＤＦ３Ａ及び中継局Ｂに配備されたＭＤＦ３Ｂのそれぞれの伝送装置側に接続される。ＭＤＦ３Ａ及びＭＤＦ３Ｂのそれぞれの伝送装置側には、光ケーブルを接続するための光ケーブル接続用のコネクタ（例えば、いわゆるＳＣコネクタ）が配備されており、発信機Ｘに装備されているコネクタ付きの光コードを接続するものである。なお、発信機Ｘの光コードの接続対象箇所は、当然のことながら、目的とする光心線と通じている光ケーブル接続用コネクタである。【００２８】  一方、受信機Ｙは、光クロージャＣの内部に配設される目的の光心線の近辺に近づけて非接触にて接続するものであり、これについては図８を用いて説明することとする。【００２９】  図８は、光クロージャ内に光心線が配設されている様子を表す概略図である。図８（ａ）、（ｂ）において、Ｔは、光クロージャＣ内に配設された薄型の箱体の光心線収納トレーであって、光心線が例えば１０心分収容できるように構成されている。そして、この光心線収納トレーＴは、通常、複数枚多段に重ねられて重設されている。例えば、１００心用の光クロージャＣには、光心線収納トレーＴが１０枚重設されているものである。光心線収納トレーＴは、光心線Ｋａ、Ｋｂの余長を収納するための余長収納部Ｔ１ａ、Ｔ１ｂがそれぞれ左右に設けられると共に、光心線ＫａとＫｂとを融着接続した融着スリーブＴ２が中央の融着スリーブ固定部に固定される。また、後分岐用の光クロージャ図８（ｃ）は、光クロージャＣに挿通された光ケーブルＫの外皮を剥離し、スロットＫＳに螺旋状に刻み込まれたスロット溝部ＫＳ１から光心線Ｋｃを取り出した様子を表している。【００３０】  受信機Ｙは、上述のように構成された光クロージャＣの内部の所定の箇所に近づけて非接触で接続される。すなわち、図８（ａ）において、中継局Ａ側に配置した発信機Ｘからの信号を受信する場合には、余長収納部Ｔ１ａ側の光心線Ｋａの端部Ｋａ１に受信機Ｙを近づけるものであり、中継局Ｂ側に配置した発信機Ｘからの信号を受信する場合には、余長収納部Ｔ１ｂ側の光心線Ｋｂの端部Ｋｂ１に受信機Ｙを近づけるものである。また、図８（ｂ）において、中継局Ａ側に配置した発信機Ｘからの信号を受信する場合には、融着スリーブＴ２に受信機Ｙを近づけるものであり、中継局Ｂ側に配置した発信機Ｘからの信号を受信する場合にも同様に融着スリーブＴ２に受信機Ｙを近づけるものである。更に、図８（ｃ）において、中継局Ａ側に配置した発信機Ｘからの信号を受信する場合には、光心線Ｋｃの側部に受信機Ｙを近づけるものであり、中継局Ｂ側に配置した発信機Ｘからの信号を受信する場合にも同様に光心線Ｋｃの側部に受信機Ｙを近づけるものである。なお、受信機Ｙを目的の箇所に近づける際には、受信機Ｙの側部に設けられた受光部Ｙ１を目的の箇所に近づけることとなる。【００３１】  次に、発信機Ｘ及び受信機Ｙの構成について説明する。図２は、本発明の光心線判別システムの発信機Ｘの構成を表すブロック図である。発信機Ｘは、主として、駆動発信Ｘ１、エンコーダＸ２、発光部Ｘ３、コネクタＸ４から構成されている。駆動発信Ｘ１は、電源（ＰＷ）であって、発光部Ｘ３及びエンコーダＸ２に接続されている。駆動発信Ｘ１から供給される電気信号は、発光部Ｘ３によって所定の光信号に変換されて発光部Ｘ３から光信号が発信されるようになっている。発光部Ｘ３から発信される光信号は、変調を行わない場合は、例えば、波長が１．３１μｍ又は１．５５μｍである単なる搬送波となる。この発光部Ｘ３は、公知の半導体レーザ又はＬＥＤ等を適用するものである。エンコーダＸ２は、光信号を変調する目的で駆動発信Ｘ１に接続されており、このエンコーダＸ２は、例えば、発光部Ｘ３の出力を２ｋＨｚで変調された変調信号としたい場合、駆動発信Ｘ１に対し変調操作を行うものである。コネクタＸ４は、実際には、発信機Ｘのボディから外に出されており、コネクタＸ４と発信機Ｘ内に装備される発光部Ｘ３との間は光コードを用いて接続されている。【００３２】  図３は、本発明の光心線判別システ厶の受信機Ｙの構成を表すブロック図である。受信機Ｙは、主として、受光部Ｙ１、アンプＹ２、フィルタＹ３、Ａ／Ｄ変換器Ｙ４、相関処理部Ｙ５、表示部Ｙ６から構成されている。受光部Ｙ１は、光信号を受けて電気信号に変換する装置であり、例えばフォトダイオード等が適用されている。アンプＹ２は、受光部Ｙ１から出力される電気信号を増幅するための増幅器であり、フィルタＹ３は、アンプＹ２から出力される電気信号を周波数帯域制限するために設けられるカットフィルタである。フィルタＹ３から出力される電気信号はアナログ信号であるため、ディジタル信号化する目的でフィルタＹ３の後段にはＡ／Ｄ変換器が配置されており、このＡ／Ｄ変換器Ｙ４でディジタル化された電気信号は、相関処理部Ｙ５に入力されることとなる。そして、表示部Ｙ６は、相関処理部Ｙ５で計算された結果を目視で確認するための表示部であって、例えば液晶画面やＬＥＤが用いられている。【００３３】  ここまで以上の通り、本発明の光信号判別システ厶の全体構成、並びに発信機Ｘ及び受信機Ｙの各構成について説明したが、以下に、光心線の接続や配線替えの工事の際に本システムを用いて判別がどのように行われるのかについて、動作を含めて説明することとする。【００３４】  先ず、前述のように、中継局ＡのＭＤＦ３Ａに設けられた目的の光心線に通じる光ケーブル接続用コネクタに対し、発信機ＸのコネクタＸ４を取着する。そして、駆動発信Ｘ１を操作し、発光部Ｘ３から所定の周波数（例えば、２ｋＨｚ）で変調された変調信号を発光させ、コネクタＸ４から変調信号を目的の光心線に出射する。【００３５】  このように、コネクタＸ４から出射される変調信号は、所定の周波数で変調された信号のままでもよいのであるが、光クロージャＣにおける光心線からの漏れ光が小さな漏れ光であったとしても受信機Ｙが感度良く受信できるようにするため、所定のビット長で一単位とするに共にコード化すると効果的である。そこで、本発明では一例として、５１２ビット長を一単位とし、この５１２ビットを用いて特定の数値に符号化を行っている。【００３６】  また、より一層、光クロージャＣにおける光心線からの漏れ光が小さな漏れ光であったとしても受信機Ｙが感度良く受信できるようにするため、前記変調信号を所定にフォーマット化することにより対雑音性を向上させた強化変調信号とし、当該強化変調信号を発信するようにすると更に効果的である。ここで、所定にフォーマット化するとは、対雑音性に優れている公知のエム系列を一例として適用するものである。【００３７】  一方、受信機Ｙ側についてであるが、図８を用いて前述した通り、受信機Ｙは、光クロージャＣの箱体を開けて非接触で接続する。図８（ａ）のように、光心線Ｋａの端部Ｋａ１が光心線収納トレーＴの内部にて開放されている場合には、光心線Ｋａの端部Ｋａ１の近辺に受信機Ｙを近づけ、また、図８（ｂ）のように、光心線ＫａとＫｂとが光心線収納トレーＴの内部にて融着スリーブＴ２を介して融着接続されている場合には、融着スリーブＴ２の近辺に受信機Ｙを近づけ、他方、図８（ｃ）のように、ＳＺケーブルタイプの場合には、光心線Ｋｃの側部に受信機Ｙを近づけて非接触で接続するものである。【００３８】  次に、所定のビット長を一単位とすると共にコード化し、更にエム系列化された変調信号を発信機Ｘから発信し、これを受信機Ｙにて受信する動作について図４から図７を用いて説明する。なお、受信機Ｙにおいては、発信機Ｘから発信される変調信号がどのような波形であるのかを予め記憶させておくこととしている。つまり、受信機Ｙには、変調信号と同様の波形である信号波形（以下、比較信号という。）ＳＢを記憶させている。【００３９】  一例として、光心線Ｋｃの側部に受信機Ｙを近づけて非接触で接続して測定を開始すると、受信機Ｙは、図４に示す相関処理を行うこととなる。先ず、処理ｄ２のように、発信機Ｘからの変調信号、すなわち、光心線からの漏れ光（受光信号）を所定のビット長の分だけ検知する。ここで、検知において同期がうまくとれた場合は、受光信号は、図５に示されるＳ１となり、これが保持される。なお、このように受光信号Ｓ１がきれいな波形で正確に得られるのは、前述したように、所定のビット長を一単位とすると共にコード化し、更にエム系列化した変調信号を発信機Ｘ側から送り、一方受信機Ｙ側においてはこのエム系列化された信号をもとに判別するようにしたことによる。【００４０】  次いで、処理ｄ３のように、受光信号Ｓ１と比較信号ＳＢとを乗算し、乗算信号ＳＳ１を算出する。そして、処理ｄ４において、比較信号ＳＢと乗算信号ＳＳ１との一致を判断する。図５における受光信号Ｓ１は、同期がとれているため比較信号ＳＢと波形が一致することから、乗算信号ＳＳ１は比較信号ＳＢと一致することとなり、処理ｄ５へ進むこととなる。処理ｄ５では、乗算信号ＳＳ１の波形の加算を試みる。すなわち積分計算を行うものである。比較信号ＳＢの積分値は、当然のことながら予め把握できるため受信機Ｙの内部に記憶されており、この記憶されている積分値と乗算信号ＳＳ１の積分値とを処理ｄ６のように比較する。図５においては、乗算信号ＳＳ１と比較信号ＳＢとがきれいに一致するため積分値も一致することとなり処理ｄ７にて一致の認定がなされる。そして処理ｄ８のように判別が終了し、次いで、処理ｄ９にて、受信機Ｙの表示部Ｙ６に一致の旨の表示がなされることとなる。つまり、受信機Ｙで測定した光心線は、目的の光心線であることが判別できることとなる。【００４１】  なお、処理ｄ５にて加算（積分計算）を行うのは、より正確に波形を判別するため行うものである。例えば、乗算信号ＳＳ１が比較信号ＳＢとたとえ一致したようにみえても、実際には波形のゆがみが存在し不一致にもかかわらずこれを一致と誤認識する可能性も否定できない。これを防止し、更に精度を上げる目的で行うものである。【００４２】  次に、処理ｄ２の検知において同期がうまくとれなかった場合について説明すると、受光信号Ｓ１は、図６に示されるＳ１となり、これが保持される。次いで、処理ｄ３のように、受光信号Ｓ１と比較信号ＳＢとを乗算し、乗算信号ＳＳ１を算出する。そして、処理ｄ４において、比較信号ＳＢと乗算信号ＳＳ１との一致を判断する。図６における受光信号Ｓ１は、同期がとれていないため比較信号ＳＢと波形が一致しないことから、乗算信号ＳＳ１は比較信号ＳＢと一致しないこととなり、処理ｄ１３へ進むこととなる。処理ｄ１３では、受光信号Ｓ１の位相を例えば波形の１０分の１サイクル分進めるようにする。そして、処理１４にて１０分の１サイクル分進めた受光信号Ｓ１と比較信号ＳＢとを処理ｄ３同様に乗算して乗算信号ＳＳ１を算出し、処理ｄ１５において一致を判断する。この例では、１０分の１サイクル分進めた受光信号Ｓ１と比較信号ＳＢとは一致しないのは明らかであるから不一致となり処理ｄ１６に進む。処理ｄ１６では、カウント数を増加させる。すなわち、位相変調した回数のカウント値を増やすものである。そして、処理ｄ１７を経由して処理ｄ１３へ戻ることとなる。【００４３】  この例では、もとの得られた受光信号Ｓ１は、位相を１０分の５サイクル進めると比較信号ＳＢと一致することとなる。すなわち、処理ｄ１３から処理ｄ１７のルーチンを５回繰り返すことでこのルーチンを抜けて、その後処理ｄ５に進み、最終的には処理ｄ９に到達することとなる。つまり、受信機Ｙで測定した光心線は、目的の光心線であることが判別できることとなる。【００４４】  なお、処理ｄ１７においては、位相を変調する回数を制限するための処理であり、例えば、所定の回数だけ受光信号Ｓ１を位相変調しても比較信号ＳＢと一致しない場合には、受光信号Ｓ１と比較信号ＳＢとは不一致であると判断し、判別を終了するものである。【００４５】  次に��受光信号Ｓ１が比較信号ＳＢとは明らかに異なる信号であったときについて説明すると、受光信号Ｓ１は、図７に示されるＳ１となり、これが保持される。次いで、処理ｄ３のように、受光信号Ｓ１と比較信号ＳＢとを乗算し、乗算信号ＳＳ１を算出する。そして、処理ｄ４において、比較信号ＳＢと乗算信号ＳＳ１との一致を判断する。図７における変調信号Ｓ１は、比較信号ＳＢと明らかに異なる波形であるため、波形が一致しないことから、乗算信号ＳＳ１は比較信号ＳＢと一致しないこととなり、処理ｄ１３へ進むこととなる。処理ｄ１３では、受光信号Ｓ１の位相を例えば波形の１０分の１サイクル分進めるようにする。そして、処理ｄ１４にて１０分の１サイクル分進めた受光信号Ｓ１と比較信号ＳＢとを処理３同様に乗算して乗算信号ＳＳ１を算出し、処理ｄ１５において一致を判断する。この例では、１０分の１サイクル分進めた変調信号Ｓ１と比較信号ＳＢとは一致しないのは明らかであるから不一致となり処理ｄ１６に進む。処理ｄ１６では、カウント数を増加させる。すなわち、位相変調した回数のカウント値を増やすものである。そして処理ｄ１３へ戻ることとなる。【００４６】  この例では、もとに得られた受光信号Ｓ１は、位相をいくら変調したとしても比較信号ＳＢと一致しないことは明らかである。すなわち、処理ｄ１３から処理ｄ１７のルーチンを所定の回数繰り返すこととなる。そして、このルーチンを抜けて処理ｄ１８に進み、最終的には処理ｄ２０に到達し、不一致である旨表示部Ｙ６に表示することとなる。つまり、受信機Ｙで測定した光心線は、目的の光心線でないことが判別できることとなる。【００４７】  上述のようにして、本発明の光心線判別システムは、発信機Ｘから発信された信号を受信機Ｙが正確に認識できるよう構成されており、光クロージャ側すなわち受信機側において、測定している光心線が作業目的の光心線か否かを的確に判別することが可能となっている。【００４８】  以上のように、本発明によれば、次のような利点がある。【００４９】  受信機にて受光の際に太陽光その他自然界のノイズの影響を受けにくいことから、光心線の端部からの漏光はもとより、漏光の大きさが比較的小さな融着スリーブからの漏光についても非接触にて感度良く受光することができる。【００５０】  また、融着スリーブの漏光の大きさよりも更に小さな光心線側部からの漏光も非接触にて感度良く受光することができる。【００５１】  従って、光クロージャ等の内部にて光心線同士を接続したり、ＳＺケーブルから光心線を探す際に、その光心線が目的の光心線か否かを的確に判別することができる。【００５２】  更に、目的の光心線を的確に判別できることから、誤って目的以外の光心線同士を接続してしまうことや目的以外の光心線を切断してしまうことを防止することができる。【００５３】  更にまた、光心線を屈曲させるようなこともないため、光心線の屈曲による損傷や通信不良を防止することができ、光通信線の接続工事の信頼性を向上することができる。
【図面の簡単な説明】
【００５４】
【図１】  図１は、通信線路に本発明の光心線判別システムを設置した様子を表す概略図である。
【図２】  図２は、本発明の光心線判別システムの発信機の構成を表すブロック図である。
【図３】  図３は、本発明の光心線判別システ厶の受信機の構成を表すブロック図である。
【図４】  図４は、受信機の相関処理部にて行う相関処理方法を表すフロー図である。
【図５】  図５は、光心線からの漏れ光の信号波形と所定の信号波形とを比較する様子を表したタイムチャート図である。
【図６】  図６は、同じく、光心線からの漏れ光の信号波形と所定の信号波形とを比較する様子を表したタイムチャート図である。
【図７】  図７は、同じく、光心線からの漏れ光の信号波形と所定の信号波形とを比較する様子を表したタイ厶チャート図である。
【図８】  図８は、光クロージャ内に光心線が配設されている様子を表す概略図である。
【符号の説明】
【００５５】        Ａ、Ｂ          ……中継局
Ｃ              ……光クロージャ
Ｋ              ……光ケーブル
Ｋａ、Ｋｂ、Ｋｃ……光心線
ＫＳ            ……スロット
ＫＳ１          ……スロット溝部
Ｓ１            ……受光信号
ＳＢ            ……比較信号
ＳＳ１          ……乗算信号
Ｔ              ……光心線収納トレー
Ｔ１ａ、Ｔ１ｂ  ……余長収納部
Ｔ２            ……融着スリーブ
Ｘ              ……発信機
Ｘ１            ……駆動発信（ＰＷ）
Ｘ２            ……エンコーダ
Ｘ３            ……発光部
Ｘ４            ……コネクタ
Ｙ              ……受信機
Ｙ１            ……受光部
Ｙ２            ……アンプ
Ｙ３            ……フィルタ
Ｙ４            ……Ａ／Ｄ変換器
Ｙ５            ……相関処理部
Ｙ６            ……表示部
１Ａ、１Ｂ      ……交換機
２Ａ、２Ｂ      ……伝送装置
３Ａ、３Ｂ      ……主配線盤（ＭＤＦ）
【図１】
2005094720.tif 000003
【図２】
2005094720.tif 000004
【図３】
2005094720.tif 000005
【図４】
2005094720.tif 000006
【図５】
2005094720.tif 000007
【図６】
2005094720.tif 000008
【図７】
2005094720.tif 000009
【図８】
2005094720.tif 000010